(57)【要約】【課題】紙製カタログからデジタルカタログを作製する際の工数を大幅に低減することができ、その作製コストも大幅に低減することができるようにする。【解決手段】この発明のオンラインカタログ作製装置１は、紙製カタログＣを読み取りＨＴＭＬ方式でのデータに変換する読み取り変換手段１１と、ＨＴＭＬ方式でのデータを構成する範囲形成データ群の各々を１ボックスに収納し表示するボックス表示手段１２と、オンラインカタログの型となるテンプレートを構成する各欄に付与されたカタログ構成要素名を一覧表示する要素名表示手段１３と、１ボックスに収納された範囲形成データが何れのカタログ構成要素名に該当するかを決定し、テンプレート中のそのカタログ構成要素名の位置に、当該範囲形成データを取り込み更新することでオンラインカタログを作製するオンラインカタログ作製手段１４と、を有している。【選択図】図１
2011253278.tif 000002
【特許請求の範囲】
【請求項１】
紙製カタログからオンラインカタログを作製するオンラインカタログ作製装置において、
上記紙製カタログを読み取りＨＴＭＬ方式でのデータに変換する読み取り変換手段と、
上記ＨＴＭＬ方式でのデータを構成する範囲形成データ群の各々を１ボックスに収納し表示するボックス表示手段と、
上記オンラインカタログの型となるテンプレートを構成する各欄に付与されたカタログ構成要素名を一覧表示する要素名表示手段と、
上記１ボックスに収納された範囲形成データが何れのカタログ構成要素名に該当するかを決定し、テンプレート中のそのカタログ構成要素名の位置に、当該範囲形成データを取り込み更新することでオンラインカタログを作製するオンラインカタログ作製手段と、
を有することを特徴とするオンラインカタログ作製装置。
【請求項２】
上記オンラインカタログの各種情報の他サイトからの取り込みを可能とするＡＰＩ出力手段を備える、請求項１に記載のオンラインカタログ作製装置。
【請求項３】
上記オンラインカタログを表示したユーザ側コンピュータの画面上で指定された部品をオンラインで受発注可能とするオンライン受発注手段を備える、請求項１または２に記載のオンラインカタログ作製装置。
【請求項４】
上記カタログ構成要素名は、カタログ情報、商品インデックス情報、末端商品情報、ページデザイン要素情報、資料情報、販売情報等である、請求項１から３の何れか１項に記載のオンラインカタログ作製装置。
【請求項５】
上記紙製カタログは、電子化されたカタログを含む、請求項１から４の何れか１項に記載のオンラインカタログ作製装置。
【請求項６】
上記オンラインカタログ作製手段は、範囲形成データの取り込み更新時に、それまでの範囲形成データを保存し参照可能とする、請求項１から５の何れか１項に記載のオンラインカタログ作製装置。
【発明の詳細な説明】
【技術分野】
【０００１】
この発明は、紙カタログからオンラインカタログを作製するオンラインカタログ作製装置に関するものである。
【背景技術】
【０００２】
従来、製品のカタログ、例えば機械部品メーカーの部品カタログは、紙で作られており、１冊の部厚い本となっていた。また、ホームページに開示されているオンラインカタログも存在するが、通常ＰＤＦ方式、ＪＰＥＧ方式のもので、紙イメージそのままのものが多く、本格的なデジタル化されたオンラインカタログは殆ど存在していないのが現状である（例えば、下記の特許文献１参照）。
【先行技術文献】
【特許文献】
【０００３】
【特許文献１】特開２００９−９４３７号公報
【０００４】
その理由は、紙製カタログを読み取ってＰＤＦ方式、ＪＰＥＧ方式とするまでにはそれ程工数を要しないが、完全なデジタル化を図るには、入力作業に多大な工数を要し、コストも高く付いてしまうためである。
【０００５】
一方、デジタル化されたオンラインカタログは、検索が自在に可能となる、データの訂正・追加等が容易となる、流用が自在である等の使い勝手の面で多大な効果を有している。このため、紙製カタログを簡単にデジタル化し、そのデジタル化されたオンラインカタログを活用したいという要望が高い。
【発明の概要】
【発明が解決しようとする課題】
【０００６】
この発明は上記に鑑み提案されたもので、紙製カタログからデジタルカタログを作製する際の工数を大幅に低減することができ、その作製コストも大幅に低減することができるオンラインカタログ作製装置を提供することを目的とする。
【課題を解決するための手段】
【０００７】
上記目的を達成するために、請求項１に記載の発明は、紙製カタログからオンラインカタログを作製するオンラインカタログ作製装置において、上記紙製カタログを読み取りＨＴＭＬ方式でのデータに変換する読み取り変換手段と、上記ＨＴＭＬ方式でのデータを構成する範囲形成データ群の各々を１ボックスに収納し表示するボックス表示手段と、上記オンラインカタログの型となるテンプレートを構成する各欄に付与されたカタログ構成要素名を一覧表示する要素名表示手段と、上記１ボックスに収納された範囲形成データが何れのカタログ構成要素名に該当するかを決定し、テンプレート中のそのカタログ構成要素名の位置に、当該範囲形成データを取り込み更新することでオンラインカタログを作製するオンラインカタログ作製手段と、を有することを特徴としている。
【０００８】
また、請求項２に記載の発明は、上記した請求項１に記載の発明において、上記オンラインカタログの各種情報の他サイトからの取り込みを可能とするＡＰＩ出力手段を備えるようにしたものである。
【０００９】
また、請求項３に記載の発明は、上記した請求項１または２に記載の発明において、上記オンラインカタログを表示したユーザ側コンピュータの画面上で指定された部品をオンラインで受発注可能とするオンライン受発注手段を備えるようにしたものである。
【００１０】
請求項４に記載の発明は、上記した請求項１から３の何れか１項に記載の発明において、上記カタログ構成要素名を、カタログ情報、商品インデックス情報、末端商品情報、ページデザイン要素情報、資料情報、販売情報等とするものである。
【００１１】
請求項５に記載の発明は、上記した請求項１から４の何れか１項に記載の発明において、上記紙製カタログは、電子化されたカタログを含むものである。
【００１２】
また、請求項６に記載の発明は、上記した請求項１から５の何れか１項に記載の発明において、上記オンラインカタログ作製手段は、範囲形成データの取り込み更新時に、それまでの範囲形成データを保存し参照可能とするものである。
【発明の効果】
【００１３】
この発明では、紙製カタログをＨＴＭＬ方式でのデータに変換し、そのＨＴＭＬ方式のデータ群を、一纏まりの範囲形成データの集合とみなし、その範囲形成データ毎に、オンラインカタログの型となるテンプレートに取り込み更新するようにしたので、テキストデータとイメージ情報とからなるオンラインカタログを自動的に作製することができるようになる。このため、紙製カタログからデジタルカタログを作製する際の工数を大幅に低減することができ、その作製コストも大幅に低減することができる。
【００１４】
このオンラインカタログは、インターフェースにＡＰＩ機能を持たせるようにしたため、オンラインカタログ提供側のサーバで使用するだけでなく、他のサーバと連動させることができ、他のサーバにおいてこのオンラインカタログを使用したい場合、商品写真、スペックデータ等、登録されているオンラインカタログの情報更新をリアルタイムで行うことができる。したがって、他のサーバでそのまま公開できるようになる等、オンラインカタログの使い勝手を大幅に改善することができる。
【００１５】
また、オンラインカタログを表示したユーザ側コンピュータの画面上で指定された部品をオンラインで受発注可能としたので、受発注業務や在庫管理業務等の効率を向上させることができ、コスト削減に貢献することができる。
【００１６】
また、範囲形成データの取り込み更新時に、更新される前の範囲形成データを保存するようにしたので、データの履歴が残ることとなり、オンラインカタログの提供側であれユーザ側であれ、今回の最新データに至る経過を過去に遡って確実に把握することができる。
【図面の簡単な説明】
【００１７】
【図１】この発明の全体構成を概略的に示す図である。
【図２】オンラインカタログ作製装置の説明図である。
【図３】紙製カタログの一例を示す図である。
【図４】図３の紙製カタログをＨＴＭＬ方式データに変換した後の範囲形成データ群を示す図である。
【図５】カタログ構成要素名一覧表を示す図である。
【発明を実施するための形態】
【００１８】
以下にこの発明の実施の形態を詳細に説明する。
【００１９】
図１はこの発明の全体構成を概略的に示す図、図２はオンラインカタログ作製装置の説明図である。これらの図において、この発明のオンラインカタログ作製装置１は、紙製カタログＣからオンラインカタログ１０を作製する装置であり、作製されたオンラインカタログ１０は、サーバ１ｃに格納される。このサーバ１ｃは、所定の通信網（例えばインターネット）３を介して、ユーザ側マシン（例えばパーソナルコンピュータ（パソコン）２ａ，２ｂ，２ｃ，…と互いに接続され、ユーザ側マシン２ａ，２ｂ，２ｃ，…はサーバ１ｃのオンラインカタログ１０にアクセス可能となっている。
【００２０】
オンラインカタログ作製装置１は、読み取り変換手段１１、ボックス表示手段１２、要素名表示手段１３およびオンラインカタログ作製手段１４を備えている。
【００２１】
読み取り変換手段１１は、例えばスキャナ１ａ（図１）内のＣＰＵがＲＡＭのプログラムに従って実行するソフトウェハの機能として構築され、紙製カタログＣを読み取りＨＴＭＬ方式でのデータに変換する。
【００２２】
ボックス表示手段１２、要素名表示手段１３およびオンラインカタログ作製手段１４は、例えばパソコン１ｂ（図１）内のＣＰＵがＲＡＭのプログラムに従って実行するソフトウェハの機能として構築されている。
【００２３】
これらの各手段１２，１３，１４のうち、ボックス表示手段１２は、ＨＴＭＬ方式でのデータを構成する範囲形成データ群の各々を１ボックスに収納し表示する。すなわち、ボックス表示手段１２は、先ず読み取り変換手段１１により得られたＨＴＭＬ方式の文書１１ａ（図２）において、開始タグと終了タグとの間を、一纏まりの範囲形成データＡ，Ｂ，Ｃ，Ｄ，Ｅ，…とみなす。次に、その各々をデータ表示欄１２ａ（図２）に一覧表示する。このデータ表示欄１２ａは、上から順に記入欄としてのボックス１２１，１２２，１２３，１２４，１２５，…を備え、そのボックス１２１，１２２，１２３，１２４，１２５，…の各々に順に範囲形成データＡ，Ｂ，Ｃ，Ｄ，Ｅ，…を収納し、表示する。
【００２４】
要素名表示手段１３は、オンラインカタログ１０の型となるテンプレートを構成する各欄に付与されたカタログ構成要素名を一覧表示する。すなわち、この発明では、オンラインカタログの様式（型）を予めテンプレート化して用意する。このテンプレート１３ａ（図２）を構成する各欄は、例えば商品名、仕様、説明文等のカタログ構成要素名Ｎ１，Ｎ２，Ｎ３，Ｎ４，Ｎ５，…の何れかに該当しており、そのカタログ構成要素名Ｎ１，Ｎ２，Ｎ３，Ｎ４，Ｎ５，…を要素名表示欄１３ｂ（図２）に一覧表示する。
【００２５】
なお、このカタログ構成要素名は、カタログ情報、商品インデックス情報、末端商品情報、ページデザイン要素情報、資料情報、販売情報等、多様な情報を含むものであり、上記に挙げた商品名、仕様、説明文はその一部分となっている。
【００２６】
オンラインカタログ作製手段１４は、データ表示欄１２ａを構成する各ボックス１２１，１２２等に収納された範囲形成データＡ、Ｂ等が、カタログ構成要素名Ｎ１，Ｎ２等の何れに該当するかを決定し、予め用意されているテンプレート１３ａ中のそのカタログ構成要素名の位置（欄）に、当該範囲形成データを取り込み更新することでオンラインカタログ１０を作製する。
【００２７】
図２の例で説明すると、オンラインカタログ作製手段１４は、同一画面上の例えば左側にデータ表示欄１２ａを、右側に要素名表示欄１３ｂをそれぞれ画面表示し、続いてオペレータが、範囲形成データＡをクリックし続いてカタログ構成要素名Ｎ２をクリックし、さらに画面上の登録ボタン（図示省略）をクリックすることで、範囲形成データＡがカタログ構成要素名Ｎ２に対応付けられる。同様にしてＢはＮ４に、ＣはＮ３に、ＤはＮ５に、ＥはＮ１にそれぞれ対応付けられる。そして、範囲形成データＡ，Ｂ，Ｃ，Ｄ，Ｅは、テンプレート１３ａ中の該当するカタログ構成要素名Ｎ３，Ｎ１，Ｎ４，Ｎ２，Ｎ５の位置（欄）に取り込まれて更新され、最終的に、サーバ１ｃにオンラインカタログ１０が作製される。
【００２８】
このオンラインカタログ作製手段１４は、範囲形成データＡ等の今回の取り込み更新が、前回までのオンラインカタログ１０の当該範囲形成データの修正変更に相当すると判定した場合、前回までの範囲形成データを更新前データ保存部１８（図１）に保存し参照可能とする。この保存は、例えば３世代前までのものがその対象となり、それより古いデータは消去される。
【００２９】
このようにしてサーバ１ｃに構築されたオンラインカタログ１０は、上記のように、通信網３を介してユーザ側マシン２ａ，２ｂ，２ｃ，…からアクセス可能となっている。
【００３０】
そして、サーバ１ｃは、ＡＰＩ出力手段１７をインターフェースとして備えている（図１）。したがって、ユーザ側マシン２ａ，２ｂ，２ｃ，…は、オンラインカタログ１０のデータを自由に取り込み活用することができる。
【００３１】
また、サーバ１ｃは、オンライン受発注手段１６を備えている（図１）。したがって、オンラインカタログを表示したユーザ側マシン２ａ，２ｂ，２ｃ，…の画面上で、ユーザが指定した部品をオンラインで受発注可能とすることができる。
【００３２】
次に、オンラインカタログ作製の手順を、図３、図４および図５を用いてより具体的に説明する。
【００３３】
図３は紙製カタログの一例を示す図、図４は図３の紙製カタログをＨＴＭＬ方式データに変換した後の範囲形成データ群を示す図、図５はカタログ構成要素名一覧表を示す図である。これらの図において、オンラインカタログ作製は、先ず図３の紙製カタログをスキャナで読み取り、ＨＴＭＬ方式データに変換する。
【００３４】
次に、ＨＴＭＬ方式データの文書において、開始タグと終了タグとの間を、一纏まりの範囲形成データａ，ｂ，…とみなし、図４に示すような範囲形成データ群を構成し、その範囲形成データａ，ｂ，…を画面の左側に上から順に表示し、データ表示欄とする。また図５に示すようなカタログ構成要素名一覧表を同一画面の右側に一覧表示する。
【００３５】
オペレータは、その画面を見て左側に表示されたデータ表示欄のうち、範囲形成データａ（ここでは「マグネット応用」という文字情報）のボックスをクリックし、続いて画面の右側に表示されているカタログ構成要素名一覧表から、該当するカタログ構成要素名ｎ４（ここでは「商品名−商品分類・品番コード等の肩見出し（文字列）」、（図５参照））をクリックし、さらに画面上の登録ボタン（図示省略）をクリックする。これによって、範囲形成データａとカタログ構成要素名ｎ４とが対応づけられる。この作業を順次繰り返すことで、範囲形成データａ，ｂ，…に該当するカタログ構成要素名が、ｎ１〜ｎ３０から選択され対応づけられる。ここでは例えばａとｎ４、ｂとｎ５、ｃとｎ６というように対応付けられる。
【００３６】
そして、今回テンプレートとして、カタログ構成要素名が上から、ｎ４→ｎ５→ｎ６…の順で配列されたものを使用した場合、それに応じて、ｎ４に対応する範囲形成データａ→ｎ５に対応する範囲形成データｂ→ｎ６に対応する範囲形成データｃ→……、が上から順に表示され、このようにしてオンラインカタログが作製される。
【００３７】
以上述べたように、この発明では、紙製カタログＣをＨＴＭＬ方式でのデータに変換し、そのＨＴＭＬ方式のデータ群を、一纏まりの範囲形成データの集合とみなし、その範囲形成データ毎に、オンラインカタログの型となるテンプレートに取り込み更新するようにしたので、テキストデータとイメージ情報とからなるオンラインカタログ１０を自動的に作製することができるようになる。このため、紙製カタログＣからデジタルカタログを作製する際の工数を大幅に低減することができ、その作製コストも大幅に低減することができる。
【００３８】
このオンラインカタログ１０は、インターフェースにＡＰＩ機能を持たせるようにしたため、オンラインカタログ提供側のサーバで使用するだけでなく、他のサーバと連動させることができ、他のサーバにおいてこのオンラインカタログを使用したい場合、商品写真、スペックデータ等、登録されているオンラインカタログの情報更新をリアルタイムで行うことができる。したがって、他のサーバでそのまま公開できるようになる等、オンラインカタログの使い勝手を大幅に改善することができる。
【００３９】
また、オンラインカタログ１０を表示したユーザ側マシン２ａ等の画面上で指定された部品をオンラインで受発注可能としたので、受発注業務や在庫管理業務等の効率を向上させることができ、コスト削減に貢献することができる。
【００４０】
また、範囲形成データａ等の取り込み更新時に、更新される前の範囲形成データを保存するようにしたので、データの履歴が残ることとなり、オンラインカタログ１０の提供側であれユーザ側であれ、今回の最新データに至る経過を過去に遡って確実に把握することができる。
【００４１】
なお、上記の説明では、紙製カタログをスキャナで読み取るようにしたが、紙製カタログに限らず、ＰＤＦ方式、ＪＰＥＧ方式の紙イメージのものを読み取るようにしてもよい。
【符号の説明】
【００４２】
１    オンラインカタログ作製装置
１ａ  スキャナ
１ｂ  パソコン
１ｃ  サーバ
２ａ，２ｂ，２ｃ  ユーザ側マシン
３    通信網
１０    オンラインカタログ
１１    変換手段
１１ａ  文書
１２    ボックス表示手段
１２ａ  データ表示欄
１３    要素名表示手段
１３ａ  テンプレート
１３ｂ  要素名表示欄
１４    オンラインカタログ作製手段
１６    オンライン受発注手段
１７    ＡＰＩ出力手段
１８    更新前データ保存部
１２１，１２２，１２３，１２４，１２５  ボックス
Ａ，Ｂ，Ｃ，Ｄ，Ｅ  範囲形成データ
Ｃ  紙製カタログ
Ｎ１，Ｎ２，Ｎ３，Ｎ４，Ｎ５，  カタログ構成要素名
【図２】
2011253278.tif 000003
【図４】
2011253278.tif 000004
【図５】
2011253278.tif 000005
【図１】
2011253278.tif 000006
【図３】
2011253278.tif 000007